(57)【要約】【課題】気化筒の温度上昇を検知して燃焼用空気を増加させて冷却すると共に、この燃焼状態を検知して異常燃焼を防止する気化式石油燃焼装置を提供する。【解決手段】燃焼中に気化筒温度センサ１２が検知する気化筒１温度が高温の第１所定温度Ｔ１以上である場合には、燃焼ファン７による気化筒１への燃焼用空気の供給量を一定量Ｒ１増加させると共に、気化筒１温度が更に高温の第２所定温度Ｔ２以上に上昇する場合は、燃焼用空気の供給量を更に一定量Ｒ１増加させるものであり、但し、この制御中に炎電流が一定基準以下となった場合には、燃焼用空気の供給量を一定量Ｒ１ずつ段階的に低下させて、炎電流を一定基準に維持するように制御するものである。【選択図】  図３
2016205691.tif 000002
【特許請求の範囲】
【請求項１】
加熱ヒータを備える気化筒と、該気化筒に燃油を圧送する電磁ポンプと、前記気化筒に燃焼用空気を供給する燃焼ファンと、前記気化筒で燃油の気化ガスと燃焼用空気が混合した混合気に着火する着火手段と、着火した火炎中に位置するフレームロッドと該フレームロッドとバーナヘッドとの間の炎電流を検知して着火及び火炎状態を検知する炎電流検知手段と、前記気化筒の温度を検知する気化筒温度センサと、前記炎電流検知手段や気化筒温度センサの検知信号を受けて、加熱ヒータ及び電磁ポンプ及び燃焼ファン及び着火手段を制御する制御手段とを備えたものに於いて、前記制御手段は、燃焼中に気化筒温度センサが検知する気化筒温度が高温の第１所定温度以上である場合には、燃焼ファンによる気化筒への燃焼用空気の供給量を一定量増加させると共に、気化筒温度が更に高温の第２所定温度以上に上昇する場合は、燃焼用空気の供給量を更に一定量増加させるものであり、但し、この制御中に炎電流が一定基準以下となった場合には、燃焼用空気の供給量を一定量ずつ段階的に低下させて、炎電流を一定基準に維持するように制御する事を特徴とした気化式石油燃焼装置。
【発明の詳細な説明】
【技術分野】
【０００１】
この発明は、燃焼装置に係り、特に、気化筒の温度上昇を防止しながら安定燃焼を得ることが出来る気化式石油燃焼装置に関する。
【背景技術】
【０００２】
従来よりこの種のものに於いては、点火時に気化筒の温度に応じて、供給油量に対する燃焼空気の供給量が相違する３パターンから最適なものを選択して、良好な点火燃焼を得るものであった（例えば、特許文献１）。
【先行技術文献】
【特許文献】
【０００３】
【特許文献１】特開２００２−２２１３１７号公報
【発明の概要】
【発明が解決しようとする課題】
【０００４】
ところでこの従来のものでは、燃焼途中で気化筒の温度が上昇した場合には、この温度上昇を抑制することが出来ず、燃焼を停止させるしかなく、使用勝手が極めて悪いものであった。
又気化筒に供給される燃焼用空気の供給量を単に増加させて冷却しても、燃焼用空気量が増加することで、燃焼が不安定となり失火や異常燃焼に陥ると言う新たな問題が発生するものであった。
【課題を解決するための手段】
【０００５】
この発明は上記課題を解決する為、特にその構成を、加熱ヒータを備える気化筒と、該気化筒に燃油を圧送する電磁ポンプと、前記気化筒に燃焼用空気を供給する燃焼ファンと、前記気化筒で燃油の気化ガスと燃焼用空気が混合した混合気に着火する着火手段と、着火した火炎中に位置するフレームロッドと該フレームロッドとバーナヘッドとの間の炎電流を検知して着火及び火炎状態を検知する炎電流検知手段と、前記気化筒の温度を検知する気化筒温度センサと、前記炎電流検知手段や気化筒温度センサの検知信号を受けて、加熱ヒータ及び電磁ポンプ及び燃焼ファン及び着火手段を制御する制御手段とを備えたものに於いて、前記制御手段は、燃焼中に気化筒温度センサが検知する気化筒温度が高温の第１所定温度以上である場合には、燃焼ファンによる気化筒への燃焼用空気の供給量を一定量増加させると共に、気化筒温度が更に高温の第２所定温度以上に上昇する場合は、燃焼用空気の供給量を更に一定量増加させるものであり、但し、この制御中に炎電流が一定基準以下となった場合には、燃焼用空気の供給量を一定量ずつ段階的に低下させて、炎電流を一定基準に維持するように制御するものである。
【発明の効果】
【０００６】
以上のようにこの発明によれば、気化筒の異常温度上昇を検知すると、気化筒内に供給される燃焼用空気の供給量を一定量増加させることで、気化筒内を冷却して該気化筒温度を低下させるものであり、又これで温度低下せず上昇が続くようであれば、更に燃焼用空気の供給量を一定量増加させて冷却度合いを強めるものであり、しかも、炎電流を見ていて該炎電流が一定基準以下となった場合は、燃焼用空気の供給量を一定量ずつ今度は段階的に低下させて、炎電流を一定基準に維持させるので、燃焼状態を安定させることを優先して制御することにより、失火や異常燃焼の心配がなく、常に良好な燃焼を得ることが出来、安心して使用出来るものである。
【図面の簡単な説明】
【０００７】
【図１】この発明の一実施形態に係る燃焼装置の概略構成図。
【図２】同電気回路のブロック図。
【図３】同要部のフローチャート。
【発明を実施するための形態】
【０００８】
次にこの発明に係る気化式石油燃焼装置を図面に示された一実施形態で説明する。
１は加熱ヒータ２を備えるアルミダイキャスト製で有底筒状を呈した気化筒で、カートリッジ式タンク３から固定タンク４に移動して貯留された燃油を、送油管途中に設けられた電磁ポンプ５で圧送して先端の噴霧ノズル６より噴霧し、燃焼ファン７により供給される燃焼用空気と混合したものを加熱ヒータ２の熱により加熱された気化筒１内で混合気化ガスにするものである。
【０００９】
８は着火手段で、イグナイタの火花放電により前記気化筒１の上部に設置されたバーナーヘッド９に形成される複数個の炎口１０より噴出される前記混合気化ガスに着火し、火炎を形成するものである。
【００１０】
１１は前記バーナヘッド９外周に立設されたバーナーヘッドリングで、炎口１０に形成される火炎の燃焼熱を気化筒１にヒートバックして、気化筒１を加熱ヒータ２により加熱されなくとも、燃油の気化可能温度に保つようにするものである。
【００１１】
１２は前記気化筒１の外周壁に固定された気化筒温度センサで、気化筒１の温度を検知し制御手段１３を介して、電磁ポンプ５及び燃焼ファン７及び着火手段８を駆動させて着火動作させるものであり、更に制御手段１３は、常時気化筒１温度を検知している気化筒温度センサ１２が、通常気化温度より高い第１所定温度Ｔ１以上ここでは２８８℃以上を検知すると、燃焼ファン７を制御し燃焼用空気の供給量を通常量より一定量Ｒ１（１０％ＵＰ）増加させて、気化筒１の冷却を図りながら燃焼を継続するものであり、又この冷却をしても気化筒１温度が更に上昇し高温の第２所定温度Ｔ２以上ここでは２９６℃以上を気化筒温度センサ１２が検知すると、燃焼ファン７による燃焼用空気の供給量を通常量に一定量Ｒ１増加させた状態に更に一定量Ｒ１（１０％）増加、すなわち通常量を２０％増加させて、気化筒１を強力に冷却しながら燃焼を継続させるものである。
【００１２】
１４はバーナヘッド９外周で炎口１０と対向する位置に取り付けられたフレームロッドで、炎の整流作用を利用してバーナヘッド９との間に流れる炎電流の値を検知して着火及び火炎状態を検知する制御手段１３内の炎電流検知手段１５と接続しているもので、この炎電流検知手段１５は、前記燃焼ファン７の燃焼用空気の一定量増加後には必ず炎電流値を検知し、一定基準と比較して一定基準以下に低下している場合は、制御手段１３を介して燃焼ファン７を制御し、燃焼用空気の供給量を一定量ずつ今度は段階的に低下させて、通常量に戻して炎電流を一定基準に維持させるので、燃焼状態を安定させることを優先して制御することにより、失火や異常燃焼の心配がなく、常に良好な燃焼を得ることが出来ようにしたものである。
【００１３】
次にこの発明の一実施形態の作動を図３に示す要部フローチャートに従って説明する。
今運転スイッチ１６がＯＮされ制御手段１３から加熱ヒータ２に通電の指示が出され、気化筒１が加熱されて気化筒温度センサ１２が気化可能温度を検知すると、電磁ポンプ５及び燃焼ファン７及び着火手段８を駆動させて着火動作させ、フレームロッド１４を介して炎電流検知手段１５が着火確認し、着火手段８を停止させると共に、電磁ポンプ５及び燃焼ファン７を制御して通常燃焼状態（ステップＳ１）を維持させる。
【００１４】
ステップＳ２に進み気化筒温度センサ１２が気化筒１の温度を検知し、この検知温度が第１所定温度Ｔ１以上かを判断し、ＹＥＳでステップＳ３に進み燃焼ファン７の回転数を上げて気化筒１に供給される燃焼用空気の供給量を一定量Ｒ１増加させて、気化筒１を冷却して上昇した温度を下げるようにするものであり、ＮＯではステップＳ２に戻り通常燃焼を継続するものである。
【００１５】
次にステップＳ４に進んでフレームロッド１４を介して炎電流検知手段１５が検知する炎電流値と、一定基準とを比較して一定基準以下かを判定し、ＹＥＳでステップＳ５に進み燃焼ファン７の燃焼用空気の供給量を一定量Ｒ１低下させて、異常燃焼を防止するものであり、そしてステップＳ１の通常燃焼に戻るものである。
【００１６】
又ステップＳ４でＮＯの場合は、ステップＳ６に進んで気化筒温度センサ１２による気化筒１の検知温度が、第２所定温度以上かを判断し、すなわち、気化筒１が第１所定温度以上で燃焼用空気の供給量を一定量Ｒ１増加させて、気化筒１の冷却を図ったが効果がなく更に温度上昇したと言うことで、ＹＥＳでステップＳ７に進み燃焼ファン７による燃焼用空気の供給量を更に一定量Ｒ１増加させて、つまり通常空気量＋一定量Ｒ１×２の供給量で強力に気化筒１を冷却するものであり、ＯＮではスイップＳ１に戻るものである。
【００１７】
そして、ステップＳ８に進んで再びフレームロッド１４を介して炎電流検知手段１５が検知する炎電流値と、一定基準とを比較して一定基準以下かを判定し、ＹＥＳでステップＳ９に進み燃焼ファン７の燃焼用空気の供給量を一定量Ｒ１ずつ段階的に２段階で低下させて、気化筒１の冷却よりは異常燃焼の回避を優先させて制御するものであり、失火や異常燃焼を確実に阻止することが出来るものであり、その後はステップＳ１に戻り通常燃焼するものであり、又ステップＳ８でＮＯでは、ステッブＳ１０に進んで通常空気量＋一定量Ｒ１×２の燃焼用空気の供給量での燃焼を継続するものである。
【００１８】
これにより、気化筒１の異常温度上昇を検知すると、気化筒１内に供給される燃焼用空気の供給量を一定量Ｒ１増加させることで、気化筒１内を冷却して該気化筒温度を低下させるものであり、又これで温度低下せず上昇が続くようであれば、更に燃焼用空気の供給量を一定量Ｒ１増加させて冷却度合いを強めるものであり、しかも、炎電流を見ていて該炎電流が一定基準以下となった場合は、燃焼用空気の供給量を一定量Ｒ１ずつ今度は段階的に低下させて、炎電流を一定基準に維持させるので、燃焼状態を安定させることを優先して制御することにより、失火や異常燃焼の心配がなく、常に良好な燃焼を得ることが出来、安心して使用出来るものである。
【符号の説明】
【００１９】
１  気化筒
２  加熱ヒータ
５  電磁ポンプ
７  燃焼ファン
８  着火手段
１２  気化筒温度センサ
１３  制御手段
１４  フレームロッド
Ｔ１  第１所定温度
Ｔ２  第２所定温度
Ｒ１  一定量
【図１】
2016205691.tif 000003
【図２】
2016205691.tif 000004
【図３】
2016205691.tif 000005